(57)【特許請求の範囲】
【請求項１】
屋根葺き材の縁部を支持すると共にねじ止め用の溝条部を形成した支持材に対し、上側から屋根葺き材を押圧挟持するようにねじ止めされる屋根葺き材押えであって、
前記支持材に位置合わせした状態で、前記溝条部に挿入される突条部を一体に形成すると共に、
前記突条部を挟んでその両側に、前記溝条部に係合する一対の位置決め部を一体に形成し、
前記各位置決め部は、前記溝条部との係合を案内する傾斜部を有していることを特徴とする屋根葺き材押え。
【請求項２】
前記突条部の前記ねじの螺合位置に対応する部分に、当該ねじの径に対応する切欠き部を形成したことを特徴とする請求項１に記載の屋根葺き材押え。
【請求項３】
前記突条部は、その中心線が前記ねじ止め中心を通る位置に形成されていることを特徴とする請求項１または２に記載の屋根葺き材押え。
【請求項４】
請求項１ないし３のいずれかに記載の屋根葺き材押えと、
前記屋根葺き材押えがねじ止めされる支持材と、
前記支持材と前記屋根葺き材押えとの間に押圧挟持される屋根葺き材とを備えたことを特徴とする簡易屋根。
【請求項５】
前記支持材の前記溝条部の開口縁部には、当該溝条部内に向かって下り傾斜のガイド面が形成されており、
前記突条部は、前記ガイド面を越えて前記溝条部内に延在していることを特徴とする請求項４に記載の簡易屋根。
【発明の詳細な説明】
【０００１】
【発明の属する技術分野】
本発明は、バルコニー屋根、テラス屋根、カーポート、温室屋根等の簡易屋根に用いる屋根葺き材押えおよびこれを備えた簡易屋根に関するものである。
【０００２】
【従来の技術】
従来、この種の簡易屋根として、例えば温室の屋根を構成する実開平１−６０６５９号公報に記載のものが知られている。この簡易屋根では、隣接する垂木の相互間にパネル状の屋根葺き材が設けられており、屋根葺き材はその縁部を上側から垂木上に載置され、且つ上側から屋根葺き材押えにより押さえられるようにして、水密に取り付けられている。より具体的には、垂木と屋根葺き材との間、および屋根葺き材と屋根葺き材押えとの間に、それぞれシール部材を挟み込んだ状態で、屋根葺き材押えが垂木にビス止めされている。
この場合、垂木の上面には、その中心線上にビスを螺合させるための溝条部が上向きに突設され、またこれに対応して屋根葺き材押えには、その中心線上にビス用の複数の貫通孔が形成されている。屋根葺き材押えは、この貫通孔から溝条部に螺合した複数本のビスにより、垂木にビス止めされている。
【０００３】
【発明が解決しようとする課題】
このような従来の簡易屋根において、ビスを、屋根葺き材押えの貫通孔を介して垂木の溝条部に螺合するときに、溝条部の上端に突き当てたビスを支える部位が貫通孔の縁部しかないため、螺合してゆくときにビスの左右方向は溝条部の両内側面で案内されるものの、前後は貫通孔の縁部を中心に傾動し易いため、垂木に対しビスを垂直に螺合し難いものとなっている。ビスが前後方向に傾いて螺号されると、ビスの頭部と屋根葺き材押えとの間に隙間が生じ、ここから雨水が侵入し屋根の水密性が損なわれる。
【０００４】
本発明は、屋根葺き材押えを支持材にねじ止めする際に、ねじを迅速且つ適切に螺合することができる屋根葺き材押えおよびこれを備えた簡易屋根を提供することをその目的としている。
【０００５】
【課題を解決するための手段】
本発明の屋根葺き材押えは、屋根葺き材の縁部を支持すると共にねじ止め用の溝条部を形成した支持材に対し、上側から屋根葺き材を押圧挟持するようにねじ止めされる屋根葺き材押えであって、支持材に位置合わせした状態で、溝条部に挿入される突条部を一体に形成すると共に、突条部を挟んでその両側に、溝条部に係合する一対の位置決め部を一体に形成し、各位置決め部は、溝条部との係合を案内する傾斜部を有していることを特徴とする。
【０００６】
この構成によれば、溝条部に挿入される突条部が一体に形成されているため、現場または工場において、屋根葺き材押えにねじ止めのための貫通孔を穿孔すると、貫通孔に加えて突条部の貫通孔に連なる部分が切り欠かかれる。この切欠き部の切欠き幅は、貫通孔の径と合致しており、ねじの径に対応するものとなる。したがって、屋根葺き材押えを支持材にねじ止めする際に、貫通孔を介してねじを支持材の溝条部に突き当てると、ねじは切欠き部に案内されて支持材に対し垂直に保持される。また、この状態からねじを溝条部に螺合してゆくと、ねじは切欠き部に案内されて、支持材に対し垂直にねじ込まれてゆく。また、傾斜部により、支持材に対し屋根葺き材押えを容易に位置決めして係合させることができる。
【０００７】
この場合、突条部のねじの螺合位置に対応する部分に、ねじの径に対応する切欠き部を形成したことが、好ましい。
【０００８】
この構成によれば、予め、突条部のねじの螺合位置に対応する部分に、ねじの径に対応する切欠き部を形成しておくことで、屋根葺き材押えを支持材にねじ止めする際に、この切欠き部を案内にしてねじを螺合することができる。なお、屋根葺き材押えに、この切欠き部に加え、ねじ用の貫通孔を形成しておくことが、好ましい。
【０００９】
これらの場合、突条部は、その中心線が前記ねじ止め中心を通る位置に形成されていることが、好ましい。
【００１０】
この構成によれば、現場または工場において、屋根葺き材押えに貫通孔を穿孔する際に、同時に突条部に切欠き部を適切に形成することができる。より具体的には、ドリル刃を用いて貫通孔を穿孔する際に、突条部の中心とドリル刃の中心とが合致するため、切削力を突条部にバランス良く作用させて、切欠き部を形成することができる。
【００１３】
本発明の簡易屋根は、上記した屋根葺き材押えと、屋根葺き材押えがねじ止めされる支持材と、支持材と屋根葺き材押えとの間に押圧挟持される屋根葺き材とを備えたことを特徴とする。
【００１４】
この構成によれば、屋根葺き材を、支持材と屋根葺き材押えとの間に適切に押圧固定することができ、且つ固定用のねじを適切に螺合させることができる。したがって、ねじ止めにより屋根の水密性が損なわれることがなく、且つ施工性を向上させることができる。
【００１５】
この場合、支持材の溝条部の開口縁部には、溝条部内に向かって下り傾斜のガイド面が形成されており、突条部は、ガイド面を越えて溝条部内に延在していることが、好ましい。
【００１６】
この構成によれば、屋根葺き材押えを支持材にねじ止めする際に、この溝条部のガイド面と、突条部に形成した切欠き部とを案内にして、支持材にねじをより一層適切に螺合させることができる。
【００１７】
【発明の実施の形態】
以下、添付の図面に基いて、本発明の一実施形態に係る屋根葺き材押えおよび簡易屋根を備えたカーポートについて説明する。このカーポートは、屋根部を支柱に片持ちで支持するタイプのものであり、図１（ａ）はその側面図、図１（ｂ）はその平面図である。両図に示すように、カーポート１は、前後方向に湾曲した屋根部２と、この屋根部２を支持する２本の支柱３，３とで構成されている。
【００１８】
屋根部２は、各支柱３の上端部から前方に延びる２本の梁４，４と、２本の梁４，４の上面に相互平行に架設した３本の母屋５、前枠６および後枠７と、母屋５、前枠６および後枠７の上面に相互平行に架設した複数本の垂木８とで、小屋組が構成されている。この場合、屋根部２の左右の端部に位置する垂木８は、それぞれ側枠を兼ねている。そして、隣接する垂木８と、前枠６および後枠７とで構成された前後方向に長い長方形の空間には、それぞれアクリル樹脂などで構成された屋根葺き材９が載置され、この状態で屋根葺き材９は、屋根葺き材押え１０により四周を押圧されるようにして、水密に保持されている。なお、図中の符号１１は、屋根部２の雨水を地上に導く縦樋である。
【００１９】
ここで、図２を参照して、本発明の要部である屋根葺き材押え１０廻りの構造について、詳細に説明する。屋根葺き材押え１０を受ける垂木（支持材）８は、アルミニウムの形材で構成されており、中空の垂木本体２１と、垂木本体２１の上部中央に形成した溝条部２２と、垂木本体２１の上部に溝条部２２を挟んでその左右に形成した一対のシール取付け部２３，２３とで一体に形成されている。各シール取付け部２３には、先付けタイプの下シール部材２４が装着されている。
【００２０】
溝条部２２は、屋根葺き材押え１０を垂木８にねじ止めするための固定ねじ１２が螺合される部位であり、固定ねじ１２の呼び径に相当する内幅を有している。溝条部２２の下部は、固定ねじ１２の長さを考慮して、垂木本体２１の中空部内に突出している。溝条部２２の上端部の左右には、屋根葺き材押え１０に当接する開口縁部２５，２５がそれぞれ屈曲形成され、且つ開口縁部２５から溝条部２２内に向かって下り傾斜のガイド面２６，２６がそれぞれ形成されている。この場合、固定ねじ１２としてタッピングねじが用いられ、固定ねじ１２は、両ガイド面２６，２６に左右を案内され、溝条部２２の内側面に雌ねじを形成しながら螺合してゆく。なお、固定ねじ１２として通常のねじを用いる場合には、図５に示すように溝条部２２の内面は、形材の押出し成形時に、ねじ山状の凹凸面２７としておく。
【００２１】
垂木８と同様に屋根葺き材押え１０は、アルミニウムの形材で構成されており、板状の押え本体３１と、押え本体３１の下面中央に突出形成した突条部３２と、押え本体３１の下面に突条部３２を挟んで左右に突出形成した一対の位置決め部３３，３３と、押え本体３１の両端下面にそれぞれ形成した一対のシール取付け部３４，３４とで、一体に形成されている。各シール取付け部３４には、先付けタイプの上シール部材３５が装着されている。屋根葺き材押え１０を垂木８にねじ止めした状態では、屋根葺き材９の下面に垂木８の下シール部材２４が密着し、且つ上面に屋根葺き材押え１０の上シール部材３５が密着して、屋根葺き材９の水密性が保持される。
【００２２】
突条部３２は、屋根葺き材押え１０の中心線上に形成され、且つ固定ねじ１２の取付中心と合致するように位置している。この場合、突条部３２は１条の鰭片となっており、垂木８の溝条部２２に挿入される程度の下垂長さに形成されている。また、屋根葺き材押え１０における固定ねじ１２の取付中心には、長手方向に等間隔に複数の貫通孔３６が形成されている。さらに、貫通孔３６に連なるように、突条部３２には、固定ねじ１２の径に対応する切欠き部３７が形成されている（図２（ａ）の仮想線は、図２（ｂ）において突条部３２に沿った縦断面を表したものである）。
【００２３】
一対の位置決め部３３，３３は、突条部３２を挟んで左右対称に形成され、垂木８の溝条部２２に係合して左右方向の位置決めが為されるようになっている。各位置決め部３３は、上記の溝条部２２の開口縁部２５に当接する当接段部３８と、突条部３２の溝条部２２への係合の案内するガイド傾斜部３９とを有している。ガイド傾斜部３９は、当接段部３８の下端に連なって下垂し、下部が外側に傾斜している。屋根葺き材押え１０は、このガイド傾斜部３９を案内にし、突条部３２を溝条部２２に係合するようにして垂木８上に載置し、固定ねじ１２を締結することにより、突条部３２の当接段部３８が溝条部２２の開口縁部２５に位置決めされた状態で当接する。
【００２４】
図３および図４は、屋根葺き材９の組付け作業を示している。上述したように、垂木８における固定ねじ１２の螺合部分は溝条部２２であり、溝条部２２はその長手方向の任意の位置に固定ねじ１２が螺合可能である。一方、形材で構成された屋根葺き材押え１０には、固定ねじ１２用の貫通孔（ばか孔）３６を現場で或いは工場で穿孔しておく必要がある。いずれにあっても、実施形態の屋根葺き材押え１０では、ドリル刃で屋根葺き材押え１０に貫通孔３６を穿孔するときに、突条部３２の部分までドリル刃を貫通させるようにする。これにより、突条部３２に貫通孔３６の径と同寸法の切欠き部３７が形成される（図２（ａ）の仮想線参照）。
【００２５】
このようにして、貫通孔３６および切欠き部３７を形成すると共に、上シール部材３５を装着した屋根葺き材押え１０を用意し、また垂木８には下シール部材２４を装着しておく。この状態で、下シール部材２４に載せるように垂木８上に屋根葺き材９を設置し、さらに屋根葺き材押え１０を、位置合わせするようにして垂木８に装着する。ここで、固定ねじ１２を、屋根葺き材押え１０に形成した貫通孔３６に挿入する。固定ねじ１２を貫通孔３６に挿入すると、固定ねじ１２は、左右を溝条部２２の両ガイド面２６，２６および貫通孔３６にガイド（支持）され、且つ前後を突条部３２の切欠き部３７および貫通孔３６にガイド（支持）され、垂木８および屋根葺き材押え１０に対し垂直な立ち姿勢となる（図３参照）。
【００２６】
この状態から固定ねじ１２を螺合してゆくと、固定ねじ１２は上記のガイド状態を享受しなから傾くことなく、垂直にねじ込まれてゆく（図４参照）。最終的に、固定ねじ１２は、その頭部１２ａが屋根葺き材押え１０に密着し、且つ屋根葺き材押え１０の当接段部３８が垂木８の開口縁部２５に当接する状態までねじ込まれる。この状態では、上シール部材３５と下シール部材２４が屋根葺き材９に当って潰れ、屋根葺き材９に強く密着する。なお、固定ねじ１２を、より適切にガイドするために、屋根葺き材押え１０の突条部３２を溝条部２２のガイド面２６を越える挿入位置まで長く形成するようにしてもよい。また、突条部３２は、実施形態の１条のものに限定されるものではなく、２条、３条であってもよいし中空形状であってもよい。
【００２７】
以上のように本実施形態によれば、屋根葺き材押え１０に垂木８の溝条部２２に挿入される突条部３２を形成し、且つ突条部３２のねじ止め位置に固定ねじ１２の径に対応する切欠き部３７を形成することにより、この切欠き部３７を案内にして固定ねじ１２を、傾くことなく垂直姿勢で確実に螺合することができる。このため、固定ねじ１２の螺合作業を適切且つ簡単に行うことができると共に、螺合した固定ねじ１２と屋根葺き材押え１０との間に隙間が生ずることがなく、この部分からの雨水の漏れを防止することができる。
【００２８】
また、突条部３２の中心線とねじ止め中心とが合致するように突条部３２を形成することにより、現場および工場を問わず、固定ねじ１２用の貫通孔３６を形成するときに、固定ねじ１２のガイドとして適切な切欠き幅の切欠き部３７を、同時に且つ簡単に形成することができる。
【００２９】
なお、本発明は、カーポートの他、テラス屋根、バルコニー屋根、温室屋根などにも適用できることは、いうまでもない。
【００３０】
【発明の効果】
本発明の屋根葺き材押えによれば、現場または工場において、ねじ止めのための貫通孔を穿孔するときに、突条部にねじ止めの際のガイドとなる切欠き部を同時に且つ簡単に形成することができる。また、突条部に切欠き部を形成することで、ねじ止め作業において、ねじを傾くことなく支持材に垂直に螺合させることができる。したがって、ねじ止め作業において、ねじを迅速且つ適切に螺合することができ、作業性を向上させることができ、且つ屋根の水密性を向上させることができる。
【００３１】
本発明の簡易屋根によれば、屋根葺き材押えのねじ止め作業を、迅速且つ適切に行うことができるので、組立作業の作業性を向上させることができると共に、ねじ止め部分からの雨水の漏れを防止することができる。
【図面の簡単な説明】
【図１】本発明の一実施形態に係る簡易屋根を適用したカーポートの構造図である。
【図２】垂木、屋根葺き材押さえおよび固定ねじの拡大断面図である。
【図３】屋根葺き材の組付け手順（固定ねじ挿入）を表した拡大断面図である。
【図４】屋根葺き材の組付け手順（固定ねじ螺合）を表した拡大断面図である。
【図５】溝条部の変形例を示す垂木の拡大断面図である。
【符号の説明】
１  カーポート、２  屋根部、８  垂木、９  屋根葺き材、１０  屋根葺き材押え、１２  固定ねじ、２２  溝条部、２５  開口縁部、２６  ガイド面、３２突条部、３３  位置決め部、３６  貫通孔、３７  切欠き部、３８  当接段部、３９  ガイド傾斜部
【図１】
0003761363.tif 000002
【図２】
0003761363.tif 000003
【図３】
0003761363.tif 000004
【図４】
0003761363.tif 000005
【図５】
0003761363.tif 000006